(57)【要約】【課題】防水性能を維持しつつ作業性の向上と省スペース化とを図ることが可能な防水ボックスを提供する。【解決手段】防水ボックス１は、本体側回動支点部９及びカバー側回動支点部１４を設けてアッパーカバー５を回動自在にしており、且つ、防水凹部１６ａの内壁１６ａ−１の高さに変化を持たせている。アッパーカバー５の取り外しに係る作業に関し、防水ボックス１の構造にあっては、カバーアームロック１５及び本体ロックによるロック状態の解除は片手でできる。また、ロック状態解除の後のアッパーカバー５の回動も片手でできる。そして、カバー側回動支点部１４及び本体側回動支点部９の引っ掛かり合いを解除しアッパーカバー５を完全に取り外すことも片手でできる。【選択図】図１
2010130705.tif 000002
【特許請求の範囲】
【請求項１】
ボックス本体及びカバーの各継ぎ目部同士を重ね合わせることにより防水をする構造の防水ボックスであって、前記ボックス本体側の継ぎ目部はボックス本体周壁の先端に形成される環状の防水凸部を含む一方、前記カバー側の継ぎ目部はカバー周壁の先端に形成される環状の防水凹部を含み、前記ボックス本体の開口を前記カバーで覆うとこの際に前記防水凹部が前記防水凸部に差し込まれる構造の防水ボックスにおいて、
前記ボックス本体に対し前記カバーが回動自在となるように前記ボックス本体周壁及び前記カバー周壁の各一壁に回動支点部を設け、且つ、前記防水凹部を構成する内壁及び外壁のうち前記内壁の高さに変化を持たせるようにし、該変化を持たせるにあたっては、少なくとも前記回動支点部に対応する位置の内壁高さを、この両側に連続する他の内壁高さよりも低くなるようにする
ことを特徴とする防水ボックス。
【請求項２】
請求項１に記載の防水ボックスにおいて、
前記ボックス本体は、前記ボックス本体周壁よりもボックス内側、且つ、前記カバーで前記ボックス本体を覆った際に前記カバーの前記防水凹部における前記内壁よりもボックス内側、に位置するように内側周壁を有する
ことを特徴とする防水ボックス。
【請求項３】
請求項２に記載の防水ボックスにおいて、
前記ボックス本体は、前記ボックス本体周壁と前記内側周壁との間の空隙下方に排水口を有する
ことを特徴とする防水ボックス。
【請求項４】
請求項２に記載の防水ボックスにおいて、
前記カバーを前記ボックス本体の上部開口を覆うアッパーカバーとし、前記ボックス本体の下部開口を覆うロアカバーは、前記ボックス本体周壁と前記内側周壁との間の空隙に連通するとともに排水口を有する
ことを特徴とする防水ボックス。
【発明の詳細な説明】
【技術分野】
【０００１】
本発明は、ボックス本体及びカバーの各継ぎ目部同士を重ね合わせることにより防水を図る構造の防水ボックスに関する。
【背景技術】
【０００２】
ワイヤハーネスの接続処理用部品や、ヒューズ、リレー、電子制御ユニット等の電装品を収容する電気接続箱（ジャンクションボックス、ヒューズボックス、リレーボックスなど）は、例えばエンジンルームや車体の下方部分に設けられている。電気接続箱は、雨天走行時や洗車時において内部に水分が浸入してしまうのを防止するため（回路等の部品が短絡したりリーク電流が流れたりする虞がある）、これ自体が防水ボックスの構造を有するものもある。
【０００３】
例えば、下記特許文献１に開示された防水ボックス（防水ケース）にあっては、上部開口を有するボックス本体と、このボックス本体の上部開口を覆うカバーと、を備えて防水ボックスが構成されている。防水ボックスは、ボックス本体及びカバーの各継ぎ目部同士を重ね合わせて防水を図るような構造を有しており、この構造としてボックス本体側の継ぎ目部は、ボックス本体周壁の先端に形成される環状の防水凸部、カバー側の継ぎ目部は、カバー周壁の先端に形成される環状の防水凹部を含んでいる。
【０００４】
ボックス本体の上部開口の上方からカバーを真っ直ぐ下に移動させて各継ぎ目部同士を重ね合わせ、嵌合させると、この時、防水凹部は防水凸部に差し込まれる。また、ボックス本体及びカバーは、ボックス本体周壁の継ぎ目部近傍に設けられる本体ロックに対し、カバー周壁の継ぎ目部近傍に設けられるＵ字状のカバーロックが引っ掛かって係止され、これによりロック状態が形成される。本体ロック及びカバーロックは、防水ボックスの左右両側位置（又は前後両側位置）となる少なくとも二箇所に配置されている。
【特許文献１】特開平９−２１６６４８号公報
【発明の開示】
【発明が解決しようとする課題】
【０００５】
上記従来技術にあっては、本体ロック及びカバーロックのロック状態を解除しようとする場合、少なくとも二箇所あるロック状態をそれぞれ解除しなければならず、作業者やユーザーにとって面倒な作業であるという問題点を有している。また、二箇所あるロック状態をそれぞれ解除するとともに、カバーの取り外しをするためには、両手を使うことができるような十分に大きなスペースを防水ボックスの上方に確保する必要があるという問題点を有している。尚、これら問題点の解決には、防水性能の維持に配慮しなければならないのは言うまでもない。
【０００６】
本発明は、上記した事情に鑑みてなされたもので、防水性能を維持しつつ作業性の向上と省スペース化とを図ることが可能な防水ボックスを提供することを課題とする。
【課題を解決するための手段】
【０００７】
上記課題を解決するためになされた請求項１記載の本発明の防水ボックスは、ボックス本体及びカバーの各継ぎ目部同士を重ね合わせることにより防水をする構造の防水ボックスであって、前記ボックス本体側の継ぎ目部はボックス本体周壁の先端に形成される環状の防水凸部を含む一方、前記カバー側の継ぎ目部はカバー周壁の先端に形成される環状の防水凹部を含み、前記ボックス本体の開口を前記カバーで覆うとこの際に前記防水凹部が前記防水凸部に差し込まれる構造の防水ボックスにおいて、前記ボックス本体に対し前記カバーが回動自在となるように前記ボックス本体周壁及び前記カバー周壁の各一壁に回動支点部を設け、且つ、前記防水凹部を構成する内壁及び外壁のうち前記内壁の高さに変化を持たせるようにし、該変化を持たせるにあたっては、少なくとも前記回動支点部に対応する位置の内壁高さを、この両側に連続する他の内壁高さよりも低くなるようにすることを特徴としている。
【０００８】
このような特徴を有する本発明によれば、回動支点部を支点としてカバーが回動自在となる。カバーは、これを回動させることによってボックス本体の開口を覆ったり取り外しをしたりすることができる。ボックス本体及びカバーにおいて、これらをロック状態にするロック構造は、回動支点部を設けた位置の反対側の位置に設けるだけで済む。すなわち、ロック解除は一カ所で済む。カバーの回動に関しては、防水凹部における、回動支点部に対応する位置の内壁の高さを低くすることでスムーズな回動が確保される。高さを低くしても内壁自体は存在することから、防水性能は維持される。
【０００９】
請求項２記載の本発明の防水ボックスは、請求項１に記載の防水ボックスにおいて、前記ボックス本体は、前記ボックス本体周壁よりもボックス内側、且つ、前記カバーで前記ボックス本体を覆った際に前記カバーの前記防水凹部における前記内壁よりもボックス内側、に位置するように内側周壁を有することを特徴としている。
【００１０】
このような特徴を有する本発明によれば、二重の周壁を有するボックス本体になる。仮に防水凹部と防水凸部との間から水分が浸入したとしても、この侵入した水分は内側周壁によって遮られる。
【００１１】
請求項３記載の本発明の防水ボックスは、請求項２に記載の防水ボックスにおいて、前記ボックス本体は、前記ボックス本体周壁と前記内側周壁との間の空隙下方に排水口を有することを特徴としている。
【００１２】
このような特徴を有する本発明によれば、内側周壁によって遮られた水分は、排水口を介して速やかに排水される。
【００１３】
請求項４記載の本発明の防水ボックスは、請求項２に記載の防水ボックスにおいて、前記カバーを前記ボックス本体の上部開口を覆うアッパーカバーとし、前記ボックス本体の下部開口を覆うロアカバーは、前記ボックス本体周壁と前記内側周壁との間の空隙に連通するとともに排水口を有することを特徴としている。
【００１４】
このような特徴を有する本発明によれば、内側周壁によって遮られた水分は、ロアカバーに形成された排水口を介して速やかに排水される。
【発明の効果】
【００１５】
請求項１に記載された本発明によれば、回動支点部を設けてカバーを回動自在にし、且つ、防水凹部の内壁高さを調整することで、防水性能を維持しつつ作業性の向上と省スペース化とを図ることができる。
【００１６】
請求項２に記載された本発明によれば、二重の周壁によって防水性能の維持に寄与することができる。
【００１７】
請求項３、４に記載された本発明によれば、水分を溜めることなく排水口を介して速やかに排水することができる。
【発明を実施するための最良の形態】
【００１８】
以下、図面を参照しながら説明する。図１は本発明の防水ボックスの一実施の形態を示すカバー回動時の断面図である。また、図２は防水ボックスの断面図、図３はカバーを表面側から見た時の斜視図、図４はカバーを裏面側から見た時の斜視図である。
【００１９】
図１において、引用符号１は電気接続箱などの防水ボックスを示している。この防水ボックス１の内部には、ワイヤハーネスの接続処理用部品や、リレー等の電装品からなる電装ブロックが収容されている（公知の電装品等であり、ここでは図示を省略するものとする）。防水ボックス１は、上部開口２及び下部開口３を有するボックス本体４と、このボックス本体４の上部開口２を覆うアッパーカバー５（特許請求の範囲に記載したカバーに相当）と、ボックス本体４の下部開口３を覆うロアカバー６とを備えて構成されている。ボックス本体４、アッパーカバー５、及びロアカバー６は、合成樹脂の射出成形によって、例えば図示の形状に成形されている。
【００２０】
本形態において、図１中の矢印Ｐを上下方向、矢印Ｑを左右方向、矢印Ｒを前後方向と定義するものとする。後述するが、矢印Ｓはアッパーカバー５の回動方向を示している。先ず、上記各構成について説明する。
【００２１】
図１及び図２において、ボックス本体４は、特に限定するものでないが、本形態において６つの連続する壁により形成されるボックス本体周壁７を有している（図面上では６つの壁全てを示してないが、壁の配置は図３及び図４のアッパーカバー５の形状から分かるようになっている）。引用符号７ａは第１壁、引用符号７ｂは第１壁７ａに連続する第２壁、引用符号７ｃは第２壁７ｂに連続する第３壁を示している（第４壁〜第６壁の図示は省略）。第６壁は第１壁７ａに連続するようになっている。
【００２２】
第１壁７ａには、半円弧状の形状で外側に突出する装着部８と、所定の間隔をあけて配置される二つの本体側回動支点部９とが設けられている。装着部８は、ゴム製のグロメットを装着するための部分であって、このグロメットは、ボックス本体４内の接続処理用部品に接続されるワイヤハーネス等の電線が貫通するように形成されている。各本体側回動支点部９は、第１壁７ａにおける後述する上側継ぎ目部１０に交差するように配置形成されている。各本体側回動支点部９は、アッパーカバー５を回動自在にするための部分であって、特に図示しないが、回動の中心となるフック部分を有している。
【００２３】
ボックス本体周壁７における第１壁７ａの反対側に配置されて第１壁７ａに対向する第３壁７ｃには、本体ロック（図示省略）が設けられている。この本体ロックは、公知の構造であって、アッパーカバー５の後述するカバーロック１５を引っ掛けて係止し、これによりボックス本体４及びアッパーカバー５のロック状態を形成するようになっている。本体ロックは、第３壁７ｃにおける後述する上側継ぎ目部１０に交差するように配置形成されている。
【００２４】
ボックス本体４は、上部開口２及び下部開口３が形成されるボックス本体周壁７の上部全周及び下部全周に上側継ぎ目部１０及び下側継ぎ目部１１を有している。上側継ぎ目部１０は、ボックス本体周壁７の上端（先端）に形成される環状の防水凸部１０ａと、この防水凸部１０ａの下方に配置される環状のリブ１０ｂとを有している。防水凸部１０ａは、図示の如く段付き形状に形成されている（最上端の部分が若干薄肉になっている。また、極僅かな幅のテーパを有している）。段付き形状となる防水凸部１０ａは、全周一定の形状になっている。
【００２５】
リブ１０ｂは、ボックス本体周壁７の外面に対し直交する方向に突出形成されている。リブ１０ｂの突出量は、アッパーカバー５の後述する防水凹部１６ａにおける外壁１６ａ−２の厚みと同等になっている。リブ１０ｂは、ボックス本体周壁７の下から上に向かって外面を伝う水分を止める部分としての機能も有している。
【００２６】
下側継ぎ目部１１は、ボックス本体周壁７の下端に形成される環状の防水凸部１１ａを有している。防水凸部１１ａは、上側の防水凸部１０ａと同様に段付き形状に形成されている。
【００２７】
ボックス本体周壁７は、上側継ぎ目部１０及び下側継ぎ目部１１によって凹凸のある外面となるように形成されている。一方、内面は本形態において平坦な面となるように形成されている。
【００２８】
図１ないし図４において、アッパーカバー５は、天井壁１２と、この天井壁１２の周縁部に連続するカバー周壁１３とを有している。カバー周壁１３は、本形態において６つの連続する壁によって形成されている。引用符号１３ａは第１壁、引用符号１３ｂは第１壁１３ａに連続する第２壁、引用符号１３ｃは第２壁１３ｂに連続する第３壁、引用符号１３ｄは第３壁１３ｃに連続する第４壁、引用符号１３ｅは第４壁１３ｄに連続する第５壁、引用符号１３ｆは第５壁１３ｅ及び第１壁１３ａに連続する第６壁を示している。
【００２９】
第１壁１３ａには、所定の間隔をあけて配置される二つのカバー側回動支点部１４が設けられている。各カバー側回動支点部１４は、第１壁１３ａにおける後述する継ぎ目部１６に交差するように配置形成されている。各カバー側回動支点部１４は、ボックス本体４に対しアッパーカバー５を回動自在にするための部分であって、ボックス本体４における各本体側回動支点部９の上記フック部分に係合し（引っ掛かり）、これによって回動の中心となる支点軸１４ａを有している。
【００３０】
カバー周壁１３における第１壁１３ａの反対側に配置されて第１壁１３ａに対向する第３壁１３ｃには、カバーロック１５が設けられている。このカバーロック１５は、公知の構造であって、上記本体ロック（図示省略）に引っ掛かり係止され、これによってボックス本体４及びアッパーカバー５のロック状態を形成するようになっている。カバーロック１５は、第３壁１３ｃにおける後述する継ぎ目部１６に交差するように配置形成されている。
【００３１】
アッパーカバー５は、カバー周壁１３の全周にわたって継ぎ目部１６を有している。継ぎ目部１６は、ボックス本体４の上側継ぎ目部１０と重ね合わせられることにより防水を図ることができる部分として形成されている。継ぎ目部１６は、カバー周壁１３の下端（先端）に形成される環状の防水凹部１６ａを有している。防水凹部１６ａは、段付き形状の防水凸部１０ａに差し込まれる構造を有している。もう少し具体的に説明すると、防水凹部１６ａは、内壁１６ａ−１及び外壁１６ａ−２と、これらを繋ぐ連結壁１６ａ−３とを有する断面略凹状となる形状に形成されている。
【００３２】
外壁１６ａ−２は、ボックス本体周壁７における防水凸部１０ａ及びリブ１０ｂの形状に合わせて段付き形状に形成されている。外壁１６ａ−２は、この下端（先端）がリブ１０ｂに突き当たるくらいまで下方に伸びるように形成されている。
【００３３】
連結壁１６ａ−３は、内壁１６ａ−１の上端位置から外側へ突出するように形成されている。また、連結壁１６ａ−３は、突出先端位置で外壁１６ａ−２をぶら下げるような状態に形成されている。尚、連結壁１６ａ−３は、この突出量が壁の位置で異なるように形成されている。具体的には、第１壁１３ａと第３壁１３ｃの二つの位置において、連結壁１６ａ−３は段付き形状の防水凸部１０ａの厚みよりも大きく突出するうように形成されている。また、この他の壁の位置では防水凸部１０ａの厚みよりも僅かに大きく突出するように形成されている（第１壁１３ａと第３壁１３ｃの位置においては、ボックス本体周壁７の内面と内壁１６ａ−１との間に所定の間隔があくように形成されている。これは、アッパーカバー５の回動をスムーズにすることを目的としている）。
【００３４】
内壁１６ａ−１は、下方に伸びる長さ、言い換えれば内壁高さが壁の位置で異なるように設定されている（内壁高さに変化を持たせている）。具体的には、第１壁１３ａの位置において内壁高さが低く（引用符号１６ａ−４で内壁を示す。防水性能を維持することができる高さであるものとする）なっており、第１壁１３ａ以外の位置においては内壁高さが高く（引用符号１６ａ−５で内壁を示す）なるように形成されている。尚、内壁高さが異なることから、傾斜部分１６ａ−６が形成されている。内壁高さが異なる理由は、アッパーカバー５の回動をスムーズにするためである。内壁１６ａ−１は、外壁１６ａ−２側にテーパ面１６ａ−７を有している。テーパ面１６ａ−７は、防水凸部１０ａとの引っ掛かりを起こり難くするための部分として形成されている。尚、第３壁１３ｃの位置での内壁高さを内壁１６ａ−４と同様に低くすれば、連結壁１６ａ−３の突出量を小さくすることができる。
【００３５】
ロアカバー６は、底壁（図示省略）と、この底壁の周縁部に連続するカバー周壁１７とを有している。カバー周壁１７は、６つの連続する壁によって形成されている（図示省略）。ロアカバー６は、カバー周壁１７の全周にわたって継ぎ目部１８を有している。継ぎ目部１８は、ボックス本体４の下側継ぎ目部１１と重ね合わせられることにより防水を図ることができる部分として形成されている。尚、ロアカバー６の継ぎ目部１８と、ボックス本体４の下側継ぎ目部１１は、公知の防水構造が採用されているものとする（例えば背景技術の欄の特許文献１に開示された防水構造）。ロアカバー６は、下から上へと真っ直ぐに移動させてボックス本体４に嵌合させる嵌合構造を有している。
【００３６】
本形態の防水ボックス１は、ロアカバー６を構成に含んでいるが、ボックス本体４を有底の構造にすればロアカバー６は不要になる。
【００３７】
次に、上記構成及び構造に基づきながらアッパーカバー５の組み付けに係る作業について説明する（ボックス本体４の上方に十分な作業スペースがある場合、アッパーカバー５をボックス本体４の上方から下へ真っ直ぐに移動させて従来同様に組み付けを行うことができるが、本形態では上方に十分な作業スペースがない場合の例で説明するものとする）。
【００３８】
ボックス本体４の前方から後方に向けて（第３壁７ｃの側が前とする）アッパーカバー５を移動させ、又は、ボックス本体４の前方斜め上から後方に向けて斜めにアッパーカバー５を移動させ、アッパーカバー５のカバー側回動支点部１４における支点軸１４ａをボックス本体４の本体側回動支点部９におけるフック部分に引っ掛ける作業を行う。これにより、アッパーカバー５はボックス本体４に対して回動自在な状態になる。この時、アッパーカバー５のカバー周壁１３における第１壁１３ａの位置の防水凹部１６ａは、ボックス本体４の防水凸部１０ａの先端に差し込まれるような状態になる（尚、支点軸１４ａをフック部分に引っ掛けた後の状態に関し、回動の中心となる支点位置近傍の内壁１６ａ−１は、この高さが低い内壁１６ａ−４であることから、防水凸部１０ａに当接して回動の妨げになるようなことはない）。
【００３９】
アッパーカバー５をボックス本体４に対し回動自在な状態にした後、ボックス本体４の上部開口２を覆うようにアッパーカバー５を回動させ、そして、アッパーカバー５のカバーロック１５をボックス本体４の本体ロックに係止させると（ロック状態にする。尚、このロック状態の反対側では支点軸１４ａとフック部分とが引っ掛かり合っていることから、アッパーカバー５に外れが生じるようなことはない）、アッパーカバー５の組み付けに係る一連の作業が完了する。ボックス本体４の上側継ぎ目部１０及びアッパーカバー５の継ぎ目部１６は、これらが重ね合わせられた状態（防水凹部１６ａが防水凸部１０ａに差し込まれた状態）になる。従って、この部分での防水構造が完成する（図２参照）。
【００４０】
仮に水分が防水ボックス１の外側から内側へと浸入しようとする場合、水分はアッパーカバー５の防水凹部１６ａにおける外壁１６ａ−２の下端（先端）とボックス本体４のリブ１０ｂとの間の僅かな隙間から侵入する。防水凸部１０ａ及び防水凹部１６ａは段付き形状に形成されていることから、侵入した水分は上がり難く、仮に防水凸部１０ａの先端を乗り越えたとしても、防水凸部１０ａの内側に防水凹部１６ａの内壁１６ａ−１があることから、この内壁１６ａ−１が遮蔽壁となって防水ボックス１内の電装ブロック等に直接水分が吹きかかるようなことはない。内壁１６ａ−１は、この高さが低い内壁１６ａ−４であっても、水分が電装ブロック等に向かわないようにすることができる十分な遮蔽効果を有している。
【００４１】
続いて、アッパーカバー５の取り外しに係る作業について説明する。この作業は片手だけで簡単に行うことができる。すなわち、カバーロック１５及び本体ロックによるロック状態が生じているのは本形態において一箇所だけであり、このロック状態の解除は片手でできる。また、ロック状態解除の後のアッパーカバー５の回動も片手でできる。そして、カバー側回動支点部１４及び本体側回動支点部９の引っ掛かり合いを解除しアッパーカバー５を完全に取り外すことも片手でできる（上記引っ掛かり合いの解除に、もう片方の手を差し込む必要性はない）。
【００４２】
以上、図１ないし図４を参照しながら説明してきたように、本発明によれば、本体側回動支点部９及びカバー側回動支点部１４（回動支点部）を設けてアッパーカバー５（カバー）を回動自在にしており、且つ、防水凹部１６ａの内壁高さを調整していることから、防水性能を従来同様に維持することができるのは勿論のこと、特にアッパーカバー５の取り外し係る作業性の向上を図ることができる。また、省スペースであってもアッパーカバー５の組み付けや取り外しを簡単に行うことができる。
【００４３】
続いて、図５を参照しながら防水ボックスの他の一実施の形態について説明する。図５は他の一実施の形態を示す断面図である。
【００４４】
図５において、防水ボックス２１は、有底のボックス本体２２と、このボックス本体２２の上部開口を覆うカバー２３とを備えて構成されている。ボックス本体２２及びカバー２３は、合成樹脂の射出成形によって、例えば図示の形状に成形されている。
【００４５】
ボックス本体２２は、底壁２４と、この底壁２４の周縁部に連続するボックス本体周壁２５と、ボックス本体周壁２５よりもボックス内側に形成される内側周壁２６とを有している。ボックス本体周壁２５と内側周壁２６との間には、空隙２７が形成されている。この空隙２７の下方には、水分を逃がすのに十分な大きさの排水口２８が形成されている。ボックス本体２２は、空隙２７の下方に水分が溜まらないような構造を有している。
【００４６】
尚、有底のボックス本体２２ではなく、ロアカバーを嵌合させるような構造のボックス本体の場合には、ロアカバー側に排水口を形成するものとする。
【００４７】
内側周壁２６は、ボックス本体周壁２５よりも若干高さが高くなるように形成されている。内側周壁２６は、侵入してきた水分に対する遮蔽壁の機能を有している。
【００４８】
ボックス本体周壁２５は、この上部全周に継ぎ目部２９を有している。継ぎ目部２９は、ボックス本体周壁２５の上端（先端）に形成される環状の防水凸部２９ａと、この防水凸部２９ａの下方に配置される環状のリブ２９ｂとを有している。防水凸部２９ａは、全周一定の形状となるように形成されている。
【００４９】
カバー２３は、天井壁と、この天井壁の周縁部に連続するカバー周壁３０とを有している。カバー２３は、カバー周壁３０の全周にわたって継ぎ目部３１を有している。継ぎ目部３１は、ボックス本体２２の継ぎ目部２９と重ね合わせられることにより防水を図ることができる部分として形成されている。継ぎ目部３１は、カバー周壁３０の下端（先端）に形成される環状の防水凹部３１ａを有している。防水凹部３１ａは、防水凸部２９ａに差し込まれる構造を有している。防水凹部３１ａは、内壁３１ａ−１及び段付き形状の外壁３１ａ−２と、これらを繋ぐ連結壁３１ａ−３とを有する断面略凹状となる形状に形成されている。
【００５０】
内壁３１ａ−１は、ボックス本体周壁２５と内側周壁２６との間に差し込まれるように配置されている。内壁３１ａ−１は、特に図示しないが、内壁高さを低く設定した部分と、これよりも内壁高さを高く設定した部分とを有する、変化を持たせた状態に形成されている。
【００５１】
上記構成及び構造において、仮に水分が防水ボックス２１の外側から内側へと浸入しようとすると、水分はカバー２３の防水凹部３１ａとボックス本体２２のリブ２５ｂとの間の僅かな隙間から侵入する。防水凹部３１ａは外壁３１ａ−２が段付き形状に形成されていることから、侵入した水分は上がり難く、仮に防水凸部２９ａの先端を乗り越えたとしても、防水凸部２９ａの内側に防水凹部３１ａの内壁３１ａ−１があることから、また、内壁３１ａ−１よりボックス内側に内側周壁２６があることから、これら内壁３１ａ−１及び内側周壁２６が遮蔽壁となって防水ボックス２１内の電装ブロック等に直接水分が吹きかかるようなことはない。尚、侵入した水分は、図中の破線で示す矢印Ｔの如く、排水口２８を介して外側へ速やかに排水されるようになっている。
【００５２】
以上、本発明によれば、二重の周壁となるボックス本体周壁２５及び内側周壁２６によって防水性能の維持に寄与することができる。また、本発明によれば、排水口２８によって水分を溜めることなく速やかに排水することができる。
【００５３】
この他、本発明は本発明の主旨を変えない範囲で種々変更実施可能なことは勿論である。
【図面の簡単な説明】
【００５４】
【図１】本発明の防水ボックスの一実施の形態を示すカバー回動時の断面図である。
【図２】防水ボックスの断面図である。
【図３】カバーの斜視図（表面側から見た時の斜視図）である。
【図４】カバーの斜視図（裏面側から見た時の斜視図）である。
【図５】防水ボックスの他の一実施の形態を示す断面図である。
【符号の説明】
【００５５】
１  防水ボックス
２  上部開口（開口）
３  下部開口
４  ボックス本体
５  アッパーカバー（カバー）
６  ロアカバー
７  ボックス本体周壁
９  本体側回動支点部（回動支点部）
１０  上側継ぎ目部（継ぎ目部）
１０ａ  防水凸部
１０ｂ  リブ
１２  天井壁
１３  カバー周壁
１４  カバー側回動支点部（回動支点部）
１５  カバーロック
１６  継ぎ目部
１６ａ  防水凹部
１６ａ−１  内壁
１６ａ−２  外壁
１６ａ−３  連結壁
１７  連結壁
２１  防水ボックス
２２  ボックス本体
２３  カバー
２５  ボックス本体周壁
２６  内側周壁
２７  空隙
２８  排水口
２９  継ぎ目部
２９ａ  防水凸部
２９ｂ  リブ
３０  カバー周壁
３１  継ぎ目部
３１ａ  防水凹部
３１ａ−１  内壁
３１ａ−２  外壁
３１ａ−３  連結壁
【図１】
2010130705.tif 000003
【図２】
2010130705.tif 000004
【図３】
2010130705.tif 000005
【図４】
2010130705.tif 000006
【図５】
2010130705.tif 000007